(57)【要約】【課題】  クリアランス内の形状を問わず、照明部と当接部とを結ぶ放熱経路を容易に設けることができ、効果的に放熱することができる内視鏡用アダプタ及び内視鏡を提供すること。【解決手段】  内視鏡の挿入部２に着脱可能に取り付けられる内視鏡用アダプタ１２において、被検体に照明光を照射する照明部３５と、前記内視鏡の挿入部２に取り付けられたときに、前記挿入部２に当接する当接部４７と、前記照明部３５と前記当接部４７との間のクリアランス４８に設けられ、前記照明部３５と前記当接部４７とを結ぶ放熱経路と、を備え、前記放熱経路は、前記クリアランス４８に注入された液状部材４９を備えることを特徴とする。【選択図】        図２
2007014384.tif 000002
【特許請求の範囲】
【請求項１】
内視鏡の挿入部に着脱可能に取り付けられる内視鏡用アダプタにおいて、
被検体に照明光を照射する照明部と、
前記内視鏡の挿入部に取り付けられたときに、前記挿入部に当接する当接部と、
前記照明部と前記当接部との間のクリアランスに設けられ、前記照明部と前記当接部とを結ぶ放熱経路と、を備え、
前記放熱経路は、前記クリアランスに注入された液状部材を備えることを特徴とする内視鏡用アダプタ。
【請求項２】
内視鏡の挿入部に着脱可能に取り付けられる内視鏡用アダプタにおいて、
被検体に照明光を照射する照明部と、
前記内視鏡の挿入部に取り付けられたときに、前記挿入部に当接する当接部と、
前記照明部と前記当接部との間のクリアランスに設けられ、前記照明部と前記当接部とを結ぶ放熱経路と、を備え、
前記放熱経路は、前記クリアランスに注入された液状部材が凝固して形成されることを特徴とする内視鏡用アダプタ。
【請求項３】
前記液状部材を注入するための注入口と、前記クリアランス内の流体を排出するための排出口とを備えることを特徴とする請求項２に記載の内視鏡用アダプタ。
【請求項４】
前記放熱経路は、熱伝導性を有する線材を備え、この線材上に前記液状部材が凝固していることを特徴とする請求項２に記載の内視鏡用アダプタ。
【請求項５】
前記放熱経路は、前記クリアランスに配されたヒートパイプを備え、このヒートパイプの内部に封入された作動液が前記液状部材であることを特徴とする請求項１に記載の内視鏡用アダプタ。
【請求項６】
請求項１から請求項５のいずれか一項に記載の内視鏡用アダプタと、
前記被検体に挿入され、前記内視鏡用アダプタが着脱可能に取り付けられる挿入部と、を備えることを特徴とする内視鏡。
【発明の詳細な説明】
【技術分野】
【０００１】
本発明は、被検体を観察するための内視鏡用アダプタ及び内視鏡に関するものである。
【背景技術】
【０００２】
近年、医療分野や工業分野などの様々な分野において、被検体に挿入される内視鏡挿入部と、この内視鏡挿入部に着脱可能に取り付けられる内視鏡用アダプタとを備える内視鏡が利用されている。さらに、内視鏡用アダプタには、被検体に照明光を照射するための照明部と、内視鏡挿入部に取り付けられたときに、内視鏡挿入部に当接する当接部と、が設けられているものがある。
【０００３】
ここで、照明部と当接部との間には、照明部に電力を供給するための電極を配したり、または被検体からの反射光を取り込むためのプリズムを配したりする必要があるため、ある程度のクリアランスが必要になる。
しかし、そのようなクリアランスが設けられていると、照明部において発せられる熱の伝導が、クリアランスによって遮断されてしまい、適正に放熱することができない。
そこで、クリアランスを構成する内壁部の形状に合わせてあらかじめ形成された放熱部材をクリアランスに配置し、そのクリアランスを塞ぐようにしたものが提案されている（例えば、特許文献１参照。）。このような構成によれば、照明部からの熱を、放熱部材を介して内視鏡挿入部側へと伝導させることができる。すなわち、放熱部材を放熱経路として機能させることにより、適正に放熱することができる。
【特許文献１】特開２００５−１１０８７９号公報
【発明の開示】
【発明が解決しようとする課題】
【０００４】
しかしながら、上記特許文献１に記載の構成では、放熱部材の形状に製造誤差などが生じていると、その放熱部材がクリアランス内に入らない場合があるため、放熱部材をあらかじめ高精度に形成しておかなければならないという問題がある。さらに、クリアランス内が複雑な形状をしていると、そもそも放熱部材をそのクリアランスに設置することはできない。
【０００５】
本発明は、このような事情に鑑みてなされたものであって、クリアランス内の形状を問わず、照明部と当接部とを結ぶ放熱経路を容易に設けることができ、効果的に放熱することができる内視鏡用アダプタ及び内視鏡を提供することを目的とする。
【課題を解決するための手段】
【０００６】
上記課題を解決するために、本発明は以下の手段を提供する。
本発明に係る内視鏡用アダプタは、内視鏡の挿入部に着脱可能に取り付けられる内視鏡用アダプタにおいて、被検体に照明光を照射する照明部と、前記内視鏡の挿入部に取り付けられたときに、前記挿入部に当接する当接部と、前記照明部と前記当接部との間のクリアランスに設けられ、前記照明部と前記当接部とを結ぶ放熱経路と、を備え、前記放熱経路は、前記クリアランスに注入された液状部材を備えることを特徴とする。
【０００７】
この発明に係る内視鏡用アダプタにおいては、照明部から発せられた熱が、放熱経路としての液状部材を通って当接部まで伝導していく。その放熱経路は、クリアランスに液状部材を注入することによって形成される。液状部材はそれ自身が空間に応じて変形可能であるため、液状部材をクリアランスに注入することにより、クリアランス内の形状に応じて放熱経路を形成することができる。
なお、「注入」とは、クリアランスに液状部材を直接注入するだけでなく、クリアランス内に挿入されたパイプなどの中に注入する場合も含むものとする。さらには、内部に液状部材があらかじめ封入されたパイプなどをクリアランスに挿入したりする場合も含む。
【０００８】
また、本発明に係る内視鏡用アダプタは、内視鏡の挿入部に着脱可能に取り付けられる内視鏡用アダプタにおいて、被検体に照明光を照射する照明部と、前記内視鏡の挿入部に取り付けられたときに、前記挿入部に当接する当接部と、前記照明部と前記当接部との間のクリアランスに設けられ、前記照明部と前記当接部とを結ぶ放熱経路と、を備え、前記放熱経路は、前記クリアランスに注入された液状部材が凝固して形成されることを特徴とする。
【０００９】
この発明に係る内視鏡用アダプタにおいては、照明部から発せられた熱が、放熱経路としての液状部材を通って当接部まで伝導していく。その放熱経路は、クリアランスに注入された液状部材が凝固して形成される。液状部材はそれ自体が空間に応じて変形可能であるため、液状部材をクリアランスに注入することにより、クリアランス内の形状に応じて放熱経路を形成することができる。また、液状部材が凝固していることから、取り扱いを容易にすることができる。
【００１０】
また、本発明に係る内視鏡用アダプタは、請求項２に記載の内視鏡用アダプタにおいて、前記液状部材を注入するための注入口と、前記クリアランス内の流体を排出するための排出口とを備えることを特徴とする。
【００１１】
この発明に係る内視鏡用アダプタにおいては、注入口から液状部材を注入する。ここで、クリアランス内に空気などが残っていると、熱伝導率が低下する。そこで、注入口から液状部材を注入しながら、排出口から空気などを排出させる。また、液状部材を注入していくと、その液状部材がクリアランス内を満たしていき、ついには排出口から液状部材が排出される。その間にクリアランス内の空気が排出口から押し出される。そして、排出口から液状部材が排出されたときに、液状部材の注入を終了する。
これにより、空気などが含まれない高品質な放熱経路が得られ、放熱効率を向上させることができる。
【００１２】
また、本発明に係る内視鏡用アダプタは、請求項２に記載の内視鏡用アダプタにおいて、前記放熱経路は、熱伝導性を有する線材を備え、この線材上に前記液状部材が凝固していることを特徴とする。
【００１３】
この発明に係る内視鏡用アダプタにおいては、照明部から発せられた熱が、線材と液状部材とを通って当接部に伝導していく。
これにより、放熱効率を向上させることができる。
【００１４】
また、本発明に係る内視鏡用アダプタは、請求項１に記載の内視鏡用アダプタにおいて、前記放熱経路は、前記クリアランスに配されたヒートパイプを備え、このヒートパイプの内部に封入された作動液が前記液状部材であることを特徴とする。
【００１５】
この発明に係る内視鏡用アダプタにおいては、照明部から発せられた熱が、ヒートパイプの作動液を介して当接部に伝導していく。
これにより、確実に放熱することができる。
【００１６】
また、本発明に係る内視鏡は、請求項１から請求項５のいずれか一項に記載の内視鏡用アダプタと、前記被検体に挿入され、前記内視鏡用アダプタが着脱可能に取り付けられる内視鏡挿入部と、を備えることを特徴とする。
【００１７】
この発明に係る内視鏡においては、上記請求項１から請求項５のいずれか一項に係る発明と同様の効果を奏することができる。
【発明の効果】
【００１８】
本発明によれば、クリアランス内の形状に応じて放熱経路を形成することができることから、クリアランス内の形状を問わず、照明部と当接部とを結ぶ放熱経路を容易に設けることができ、効果的に放熱することができる。
【発明を実施するための最良の形態】
【００１９】
（実施形態１）
以下、本発明の第１の実施形態における内視鏡について、図面を参照して説明する。
図１は、本発明の第１の実施形態としての内視鏡１を示したものである。
この内視鏡１は、湾曲可能な湾曲部７を有する長尺状の挿入部２と、この挿入部２が連結されて各種操作を行う本体部３とを備えている。
【００２０】
本体部３は略箱型に形成されており、その側壁部に、挿入部２の湾曲操作を行うための操作パネル６が設けられている。また、本体部３の天面には、観察画像を映し出すためのモニタ８が設けられている。さらに、本体部３には、電源を供給するための電源部９が設けられている。
また、挿入部２は、その基端部が不図示の連結部を介して本体部３に着脱可能に連結されて構成されている。一方、その先端部の外周面には、その全周にわたって延びる雄ネジ部１７が形成されている。
【００２１】
また、挿入部２の先端部には、図２に示すように、略円筒状のレンズ支持枠１６が挿入部２と同心上に設けられている。このレンズ支持枠１６は真鍮、銅またはアルミなどの熱伝導部材からなっており、その基端部には、挿入部２の基端側に延びる放熱線２９が連結されている。放熱線２９は、銅などの熱伝導部材からなっている。また、レンズ支持枠１６の中央には、挿入部２の軸線上に配された観察光学部１８が設けられている。観察光学部１８の後方（挿入部２の基端側）であって、レンズ支持枠１６の内部には、略円筒状の小支持枠２６が設けられている。この小支持枠２６の後端には撮像装置２７が設けられている。この撮像装置２７は、信号ケーブル３０を介して本体部３に接続されている。
また、挿入部２の先端面には、不図示の挿入部側電極部が設けられており、この挿入部側電極部は、不図示の電源ケーブルを介して、図１に示す電源部９に電気的に接続されている。なお、挿入部２の先端部は、例えばステンレスなどからなっている。
【００２２】
さらに、挿入部２の先端には、側視用の光学アダプタ（内視鏡用アダプタ）１２が着脱可能に取り付けられるようになっている。
光学アダプタ１２は、図３及び図４に示すように、有底円筒状に形成されたアダプタ本体部２１と、略円筒状に形成された取付フード部２２とを備えている。これらアダプタ本体部２１と取付フード部２２とは、同心上に、かつ互いに回転可能に連結されている。アダプタ本体部２１は、ステンレスなどにより形成されており、その側壁部には、照明光を照射する照明部３５が設けられている。照明部３５は、板状のＬＥＤ基板３４とＬＥＤ３３とを備えている。ＬＥＤ基板３４は、アダプタ本体部２１の側壁部に、挿入部２の軸線に平行に設けられており、このＬＥＤ基板３４上にＬＥＤ３３が設けられている。
【００２３】
また、アダプタ本体部２１の側壁部であって、照明部３５の近傍には、被検体からの反射光を取り込むための観察窓３８が設けられている。さらに、アダプタ本体部２１の内部には、観察窓３８から取り込んだ反射光の進行方向を、光学アダプタ１２の軸線方向後方に変更するプリズム３９が設けられている。プリズム３９の傾斜面にはアルミ蒸着による反射面が形成されている。また、プリズム３９の後方には、その軸線上に観察光学系４０が設けられている。なお、アダプタ本体部２１の後端には、不図示のアダプタ側電極部が設けられており、このアダプタ側電極部は、不図示の電源ケーブルを介して、ＬＥＤ３３に電気的に接続されている。
【００２４】
また、上記取付フード部２２は、ステンレスなどにより形成されており、その内周面の後端部には、全周にわたって延びる第１雌ネジ部４３が形成されている。さらに、第１雌ネジ部４３から先端側に所定の間隔を空けて第２雌ネジ部４４が形成されている。
このような構成のもと、挿入部２の先端を光学アダプタ１２の後端に挿入し、取付フード部２２を回転させると、まず雄ネジ部１７と第１雌ネジ部４３とが螺合するようになっている。さらに取付フード部２２を回転させると、雄ネジ部１７は、第１雌ネジ部４３を乗り越えて、第２雌ネジ部４４に螺合し、これにより、光学アダプタ１２が挿入部２の先端に着脱可能に取り付けられるようになっている。すなわち、第１雌ネジ部４３は、光学アダプタ１２が挿入部２から脱落するのを防止するための抜け止めとして機能するものである。
【００２５】
さらに、本実施形態におけるアダプタ本体部２１の後端には、光学アダプタ１２を挿入部２に取り付けたときに、挿入部２の先端面に当接する当接部４７が設けられている。そして、アダプタ本体部２１の内部であって、当接部４７と照明部３５との間には、クリアランス（空間部）４８が形成されており、このクリアランス４８内に、液状の充填材（液状部材）４９が充填されている。充填材４９は、例えば水やオイル、アルコールなどの液状部材からなっている。この充填材４９は、当接部４７に形成された注入口５２からクリアランス４８内に注入された後、注入口５２にキャップ５３を嵌合させることにより、クリアランス４８内に封入されている。
【００２６】
次に、このように構成された本実施形態における内視鏡１の作用について説明する。
まず、挿入部２の先端に光学アダプタ１２を上述のように取り付ける。これによって、アダプタ側電極部と挿入部側電極部とが電気的に接続されて、不図示の電源ケーブルを介して電源部９から照明部３５に電力が供給される。そして、挿入部２を被検体内に挿入して、照明部３５から照明光を照射させる。このとき、被検体からの反射光が、観察窓３８を介して光学アダプタ１２に取り込まれる。この取り込まれた反射光は、プリズム３９、観察光学系４０及び観察光学部１８を介して撮像装置２７に結像する。そして、撮像装置２７からの出力信号が、信号ケーブル３０を介して、所定の回路に送られて、さらにモニタ８に供給される。これにより、モニタ８に観察画像が映し出され、この観察画像を見ながら、被検体の所定の検査が行われる。
【００２７】
また、ＬＥＤ３３に電力を供給し、ＬＥＤ３３を駆動すると、それらＬＥＤ３３が熱を発することになる。この熱は、充填材４９を通って当接部４７まで伝導していく。すなわち、充填材４９が放熱経路として機能する。さらに、当接部４７は挿入部２の先端面に当接していることから、その熱はレンズ支持枠１６に伝わって、放熱線２９を伝導していく。これによって、ＬＥＤ３３によって発せられた熱が、充填材４９を介して放熱される。なお、撮像装置２７も熱を発するが、この熱は小支持枠２６を通って、レンズ支持枠１６さらに放熱線２９を通って放熱されたり、信号ケーブル３０を通って放熱される。
【００２８】
ここで、従来は、クリアランス４８内に設置するための放熱部材を、あらかじめ高精度に形成していたが、本発明に係る内視鏡１においては、以下のようにして放熱経路が設けられる。すなわち、アダプタ本体部２１に、取付フード部２２やプリズム３９、観察光学系４０などを設置した後、注入口５２から、充填材４９をクリアランス４８内に注入する。このとき、クリアランス４８内に空気が残らないように、注入口５２を上に向ける。クリアランス４８内に注入された充填材４９は、クリアランス４８内の形状に応じて満遍なく広がっていき、クリアランス４８内を満たしていく。そして、クリアランス４８内が満たされた後、注入口５２にキャップ５３を嵌め込む。これによって、充填材４９がクリアランス４８内に封入され、放熱経路が形成される。
【００２９】
以上より、本実施形態における内視鏡１によれば、充填材４９をクリアランス４８に注入することにより、クリアランス４８内の形状に応じて放熱経路を形成することができる。そのため、クリアランス４８内の形状を問わず、照明部３５と当接部４７とを結ぶ放熱経路を容易に設けることができ、効果的に放熱することができる。また、従来のように放熱部材をあらかじめ精度良く製造しておく必要がないため、製造コストを抑制することができる。さらに、充填材４９が液状であるため、クリアランス４８内の製造誤差を吸収することができる。
また、プリズム３９に設けられた反射面は充填材４９によって覆われるため、反射面を空気中にさらすことによる酸化を防止することができる。そのため、アルミ蒸着された反射面のはがれ等を防止することができ、耐久性を向上させることができる。
【００３０】
（実施形態２）
次に、本発明の第２の実施形態について説明する。
図５から図８は、本発明の第２の実施形態を示したものである。
図５から図８おいて、図１から図４に記載の構成要素と同一部分については同一符号を付し、その説明を省略する。
この実施形態と上記第１の実施形態とは基本的構成は同一であり、ここでは異なる点についてのみ説明する。
【００３１】
本実施形態においては、直視用の光学アダプタ１２が挿入部２に着脱可能に取り付けられるようになっている。アダプタ本体部２１は、略円筒状に形成されており、その内部には略円筒状の支持部材５４が同心上に設けられている。支持部材５４は、熱伝導部材からなっており、小径部５７と大径部５８とが同心上に連結されて構成されている。そして、小径部５７と大径部５８との径方向の差分領域にクリアランス４８´が設けられている。小径部５７の先端の中央には、観察光学系４０が設けられている。また、アダプタ本体部２１の先端には、ドーナツ形状のＬＥＤ基板３４´が設けられており、このＬＥＤ基板３４´は、小径部５７の先端が挿入されることにより、アダプタ本体部２１内で支持されている。ＬＥＤ基板３４´上には、周方向にＬＥＤ３３が設けられている。
【００３２】
また、大径部５８には、取付フード部２２の筒孔と、クリアランス４８´とを連通する複数の連通孔５９が形成されており、それら複数の連通孔５９のうちの一部には、図８に示すアダプタ側電極部６２が設けられている。このアダプタ側電極部６２は、接続線６３及びＬＥＤ基板３４´を介してＬＥＤ３３に電気的に接続されている。また、複数の連通孔５９のうちの残りは、注入口５２として機能するものである。
クリアランス４８´及び連通孔５９には、充填材４９´が設けられている。この充填材４９´は、熱伝導性が高い樹脂またはエポキシ樹脂と、アルミなどの金属粉との混合体からなっている。そして、充填材４９´は、クリアランス４８´への注入時には液状であり、クリアランス４８´への充填後には所定の時間の経過により凝固する。すなわち、充填材４９´は、固体となって放熱経路として機能する。
【００３３】
以上より、本実施形態における内視鏡１によれば、クリアランス４８´への注入時には充填材４９´が液状であるから、上記第１の実施形態と同様の効果を奏することができる。さらに、充填材４９´は凝固することから、キャップなどの封止部材を不要にすることができる。また、光学アダプタ１２の使用時には、充填材４９´は固体となっていることから、光学アダプタ１２の取り扱いを容易にすることができる。
【００３４】
（実施形態３）
次に、本発明の第３の実施形態について説明する。
図９および図１０は、本発明の第３の実施形態を示したものである。
本実施形態においては、アダプタ本体部２１の先端に、クリアランス４８の内部の流体を排出するための排出口６４が形成されている。そして、以下のようにして、クリアランス４８内に充填材４９´が注入される。すなわち、注入口５２から液状の充填材４９´を注入していくと、排出口６４から、クリアランス４８内の空気が排出されていく。さらに、クリアランス４８内に液状の充填材４９´が広がっていき、ついには排出口６４から充填材４９´が排出される。このとき、充填材４９´の注入を終了する。そして、所定時間が経過すると、液状の充填材４９´が凝固し、固体状の充填材４９´が放熱経路として機能する。
【００３５】
以上より、本実施形態における内視鏡１においては、注入口５２からの液状の充填材４９´の注入開始から、注入終了（排出口６４から充填材４９´が排出されたとき）までの間に、クリアランス４８内の空気を排出口６４から排出させることができる。そのため、空気などが含まれない高品質な放熱経路が得られ、放熱効率を向上させることができる。
【００３６】
（実施形態４）
次に、本発明の第４の実施形態について説明する。
図１１から図１３は、本発明の第４の実施形態を示したものである。
この実施形態においては、クリアランス４８内に、充填材４９´よりも熱伝導性の高い線材６７が設けられており、この線材６７上に充填材４９´が凝固している。そして、ＬＥＤ３３から熱が発せられると、その熱は、線材６７及び充填材４９´を通り放熱されていく。すなわち、これら線材６７及び充填材４９´は、放熱経路として機能するものである。そして、この放熱経路は、以下のようにして設けられる。
【００３７】
まず、図１３に示すように、プリズム３９、観察光学系４０及び取付フード部２２などの各部品を組み込む前に、注入口５２から線材６７を挿入する。線材６７の先端部には、緩やかな曲げグセがつけられており、全体として弓状に形成されている。このような線材６７をクリアランス４８に挿入すると、線材６７の先端がＬＥＤ基板３４に当接する。この状態から、線材６７を介して、注入口５２からはんだ（液状部材）を注入する。すると、はんだは線材６７上を伝わっていきＬＥＤ基板３４に到達する。そして、所定量のはんだを注入し、所定時間おくと、はんだが凝固し、固体状の充填材４９´となる。このとき、はんだにより、ＬＥＤ基板３４と線材６７とが固定され、線材６７同士が固定される。さらに、はんだの熱が充分下がってから、線材６７の後端を切り落とし、プリズム３９、観察光学系４０及び取付フード部２２などを組み込んでいく。
【００３８】
以上より、本実施形態における内視鏡１においては、上記第１の実施形態と同様の効果を奏することができるだけでなく、ＬＥＤ３３からの熱を、充填材４９´及び線材６７を介して伝導させることができ、放熱効率を一層向上させることができる。
また、はんだは他の液状部材と比較して、凝固する時間が非常に短いので、組み立てに係る時間を大幅に削減することができる。
【００３９】
（実施形態５）
次に、本発明の第５の実施形態について説明する。
図１４から図１５は、本発明の第５の実施形態を示したものである。
この実施形態においては、クリアランス４８内に、内部に作動液６９が封入されたヒートパイプ６８が設けられている。作動液６９は、例えば、水、アルコールまたはアセトンなどの液体からなっている。ヒートパイプ６８は、略Ｌ字状に形成されており、先端がＬＥＤ基板３４に当接している。そして、ＬＥＤ３３から熱が発せられると、その熱は、作動液６９を通って注入口５２側へと伝導していく。すなわち、作動液６９は、液状の充填材４９として機能するものであり、放熱経路として機能するものである。
【００４０】
なお、ヒートパイプ６８は以下のようにして設置される。すなわち、まず、作動液６９をパイプ部７２に流し込み封入する。そして、そのパイプ部７２を注入口５２から挿入し、所定の位置まで押し込んでいく。このとき、パイプ部７２を介して、作動液６９が注入口５２からクリアランス４８に注入される。次いで、パイプ部７２を所定の位置で固定することにより、ヒートパイプ６８がクリアランス４８内に設置される。
【００４１】
以上より、本実施形態における内視鏡１においては、放熱経路を容易に設置することができ、確実に放熱することができる。
なお、本実施形態では、パイプ部７２にあらかじめ作動液６９を封入するとしたが、これに限ることはなく、最初にパイプ部７２をクリアランス４８に挿入しておき、その挿入されたパイプ部７２に作動液６９を注入するようにしてもよい。
なお、本発明の技術範囲は上記の実施形態に限定されるものではなく、本発明の趣旨を逸脱しない範囲において、種々の変更を加えることが可能である。
【図面の簡単な説明】
【００４２】
【図１】本発明に係る内視鏡の第１の実施形態を示す全体構成図である。
【図２】図１の内視鏡挿入部の先端に光学アダプタが取り付けられた様子を拡大して示す側断面図である。
【図３】図１の光学アダプタを拡大して示す側断面図である。
【図４】図３のＡ−Ａ線矢視断面図である。
【図５】本発明に係る内視鏡の第２の実施形態を示す図であって、光学アダプタを示す正面図である。
【図６】図５のＢ−Ｂ線矢視断面図である。
【図７】図５の光学アダプタを示す側断面図である。
【図８】図５のＣ−Ｃ線矢視断面図である。
【図９】本発明に係る内視鏡の第３の実施形態を示す図であって、光学アダプタの様子を示す側断面図である。
【図１０】図９の光学アダプタを示す図であって、軸線を基準とした半分を透視して示す上面図である。
【図１１】本発明に係る内視鏡の第４の実施形態を示す図であって、光学アダプタの様子を示す側断面図である。
【図１２】図１１の光学アダプタを示す図であって、軸線を基準とした半分を透視して示す上面図である。
【図１３】図１１の光学アダプタの組み立ての様子を示す説明図である。
【図１４】本発明に係る内視鏡の第５の実施形態を示す図であって、光学アダプタの様子を示す側断面図である。
【図１５】図１４の光学アダプタを示す図であって、軸線を基準とした半分を透視して示す上面図である。
【符号の説明】
【００４３】
１    内視鏡
２    挿入部
１２  光学アダプタ（内視鏡用アダプタ）
３５  照明部
４７  当接部
４８，４８´  クリアランス
４９，４９´  液状部材
５２  注入口
６４  排出口
６７  線材
６８  ヒートパイプ
６９  作動液
【図１】
2007014384.tif 000003
【図２】
2007014384.tif 000004
【図３】
2007014384.tif 000005
【図４】
2007014384.tif 000006
【図５】
2007014384.tif 000007
【図６】
2007014384.tif 000008
【図７】
2007014384.tif 000009
【図８】
2007014384.tif 000010
【図９】
2007014384.tif 000011
【図１０】
2007014384.tif 000012
【図１１】
2007014384.tif 000013
【図１２】
2007014384.tif 000014
【図１３】
2007014384.tif 000015
【図１４】
2007014384.tif 000016
【図１５】
2007014384.tif 000017